(57)【要約】      （修正有）【課題】充填後の熱処理に適さない製品の包装にも対応でき、製作コストが安く、蓋の設置及び開封も容易な不正開封検知性を有する開口部構造を備えた容器を提供する。【解決手段】容器本体１は、有底円筒形の物品収容部１aと、開口部の外周に設けられたつば部１bと、該つば部１bの上面にブリッジ部１hを介して軸方向に立設し蓋体２の側面をカバーする略円筒形の保護部材１cと、開口部の内周に設けられた第一係合部とを備えており、蓋体２は、円形の上面部と、該上面部の周囲から下方に延設された筒状部２bと、該筒状部２bの下縁外周に設けられ前記第一係合部と係合する第二係合部とを備えており、前記保護部材１cの内周面の径は前記蓋体２の筒状部２bの外周面の最大径とほぼ等しく相互に回動可能であり、前記蓋体２の設置時には保護部材１cの上面が蓋体２の上面に対して高さが等しい又はより高い位置にある容器。【選択図】図６
2014001005.tif 000002
【特許請求の範囲】
【請求項１】
合成樹脂製の容器本体および該容器本体の開口部に内嵌される蓋体とからなり、容器本体は、有底円筒形の物品収容部と、開口部の外周に設けられたつば部と、該つば部の上面にブリッジ部を介して軸方向に立設し蓋体の側面をカバーする略円筒形の保護部材と、開口部の内周に設けられた第一係合部とを備えており、蓋体は、円形の上面部と、該上面部の周囲から下方に延設された筒状部と、該筒状部の下縁外周に設けられ前記第一係合部と係合する第二係合部とを備えており、前記保護部材の内周面の径は前記蓋体の筒状部の外周面の最大径とほぼ等しく相互に回動可能であり、前記蓋体の設置時には保護部材の上面が蓋体の上面に対して高さが等しい又はより高い位置にある容器。
【請求項２】
前記第一係合部が環状の溝であり、前記第二係合部が環状の拡径部であることを特徴とする請求項１記載の容器。
【請求項３】
前記蓋体の筒状部の外周が、前記容器本体の開口部に係合する小径部と、前記開口部から突出する大径部と、両者を繋ぐ環状面とを備え、前記容器本体には該環状面と対向する環状切欠部が設けられ、前期環状面と環状切欠部との間に、前記蓋体が容器本体に対して回動する際に上方へ案内するカム機構が設けられていることを特徴とする請求項１または２記載の容器。
【請求項４】
前記容器本体の前記蓋体の環状面は等角度間隔に複数のカム従動突起を備え、環状切欠部はカム従動突起と対応する位置にカム従動突起より少ない数のカム突起を備えていることを特徴とする請求項３記載の容器。
【発明の詳細な説明】
【技術分野】
【０００１】
本発明は不正開封を検知できる容器の開口部保護構造に関し、特に、合成樹脂製の容器を成型する際に蓋体をカバーする保護部材を一体に設ける技術に関する。
【背景技術】
【０００２】
商品が充填された後に不正に容器を開封して内部に手を加える行為を防ぐため、容器の開口部を覆う保護部材を設け保護部材を破壊しなければ容器を開けることができないようにして、開封を検知することが行われている。このような開口部保護構造の例としては、容器全体や蓋体の周囲を熱収縮性フィルムで覆って加熱し、フィルムの一部を切取らなければ開封できないようにしたものがある。
【０００３】
特開昭５９−１９９４５１号公報は、薬品及び食品の容器のための開口部の保護構造において、容器の開口部にスナップ式の主キャップを打栓した後に、環状の切取線を備えたオーバーキャップを容器の肩部に摩擦融着させて、不正開封の検知を可能にすることを開示している（実施例４、図１６等）。しかし保護部材の取付けのために専用の装置を必要とし、また製品の充填後に保護部材の熱溶着を行うことから、医薬品のアンプルのように厳重な温度管理を要する商品の保護容器としては使いにくいものであった。
【０００４】
製品の充填後に熱処理を行わない開封保護構造としては、例えば蓋体の下部に環状の弱化部を介して保護部材を設けておき、打栓時に保護部材内面の突起を容器外周の突起に結合させるようにして、保護部材を取り外さないと蓋を外せないようにしたり、ねじ式の蓋を取り外した際に保護部材が容器の開口部の周囲に残るようにして、不正開封を検知するようにしたものが知られている。
【０００５】
特開平１１−１２５１号公報は、容器の口部に被せるねじ式の安全キャップであって、蓋本体と、該蓋本体と別体に成型されて予め蓋本体に熱溶着される開封検知バンドとからなる保護構造を設け、安全キャップを回して取り外した後に開封検知バンドが容器の肩部に残るようにしたものを開示している。また特開平９−５８７１９号公報は、びんの口部に外嵌されるスナップ式の合成樹脂キャップにおいて、キャップの下部に切断可能なブリッジを介して開封検知バンドおよびつまみ部を設け、つまみ部を引き起こして開封検知バンドを取り外さないとキャップを外せないようにしたものを開示している。
【先行技術文献】
【特許文献】
【０００６】
【特許文献１】特開昭５９−１９９４５１号公報
【特許文献２】特開平１１−１２５１号公報
【特許文献３】特開平９−５８７１９号公報
【発明の開示】
【発明が解決しようとする課題】
【０００７】
容器の蓋体に保護部材を設ける従来の開口部保護構造では、いずれも製品を充填して蓋を設置する際に保護部材を変形させて容器の拡径部を乗り越えさせる必要があり、保護部材を破損させる恐れがあるため、蓋体を複雑な構造とせざるを得ず成型性を悪化させる問題があった。
【０００８】
加えて、特開平１１−１２５１号公報のようなねじ式の蓋体ではスナップ式のものと比べて製作コストがかかり容器への設置にも手数を要し、他方、特開平９−５８７１９号公報のような開封検知バンドでは、蓋を開ける前につまみ部を引き起こして開封検知バンドを切り離す必要があるので手数を要する問題があった。
【０００９】
本発明は、不正開封を検知できる容器の開口部保護構造において、製品の充填後に熱処理を行う必要がなく、また複雑な構造の蓋も必要としないものを提供することを第一の目的とする。
【００１０】
本発明はまた、製作コストの高いねじ部を設ける必要がなく、使用時にも保護部材と蓋の取り外しをいずれも容易に行える開口部保護構造を提供すること、また特にスナップ式の蓋を備えた開口部に開封検知性を付与すると共に、蓋を衝撃から守る二重の保護構造となるような開口部保護構造を提供することをそれぞれ目的とする。
【課題を解決するための手段】
【００１１】
請求項１記載の発明は、合成樹脂製の容器本体および該容器本体の開口部に内嵌される蓋体とからなり、容器本体は、有底円筒形の物品収容部と、開口部の外周に設けられたつば部と、該つば部の上面にブリッジ部を介して軸方向に立設された略円筒形の保護部材と、開口部の内周に設けられた第一係合部とを備えており、蓋体は、円形の上面部と、前記保護部材の内径とほぼ同径の筒状部と、該筒状部の下縁外周に設けられ前記第一係合部と係合する第二係合部とを備えており、前記保護部材の内周面の径は前記蓋体の筒状部の外周面の最大径とほぼ等しく相互に回動可能であり、前記蓋体の設置時に保護部材の上面が前記蓋体の上面に対して等しい高さ又はより高い位置にある容器により、上記の課題を解決する。（なお「上」および「下」の用語は、容器が開口部を上にして置かれたときの各部の向きを表す。）
【００１２】
すなわち、本発明の容器は容器本体の開口部に内嵌されるスナップ式の蓋と、この蓋の側面を保護するための、容器本体と一体に成型可能な保護部材とを備えている。開口部の外周につば部を設け、該つば部の上面にブリッジ部を介して略円筒形の保護部材を立設させる。従って保護部材は軸方向の衝撃に対して構造上強く、また製品の充填後には蓋体と緩く嵌合しているため径方向の衝撃にも耐え、スナップ式の蓋を外力から保護する。
【００１３】
保護部材は円筒形であり上部が開口しているから、製品の製造者は保護部材を備えた状態で容器に商品を充填し、蓋体を設置することができる。保護部材の上面が蓋体の上面と高さが等しいかより高い位置にあるため、いったん蓋体が設置されると保護部材を取り外さなければ蓋体の操作を行えず、第三者による不正な開封が防止される。蓋体と保護部材とは相互に回動可能なので、消費者は保護部材を容器本体に対してひねることで容易にブリッジをせん断させ取り外すことができる。保護部材が取り外されると、蓋体の筒状部の側面があらわれ蓋体の取外しが可能となる。
【００１４】
容器本体と蓋体とは第一・第二係合部の相互作用によりスナップ結合しておりねじ部を設ける必要がないので、材料コストが安く製作が容易であり、ねじ式の蓋と比べて蓋体の設置や取外しも容易である。確実な結合のため、容器本体の第一係合部は環状の溝、蓋体の第二係合部は環状の拡径部であることが好ましい。
【００１５】
請求項３記載の発明は、前記の容器において前記蓋体の筒状部の外周が、前記容器本体の開口部に係合する小径部と、前記開口部から突出する大径部と、両者を繋ぐ環状面とを備え、前記容器本体には該環状面と対向する環状切欠部が設けられ、前期環状面と環状切欠部との間に、前記蓋体が容器本体に対して回動する際に上方へ案内するカム機構が設けられていることを特徴とするものである。
【００１６】
消費者は蓋体をひねって対向する突起を当接することにより蓋体を離脱方向に付勢して容易に取り外すことができる。したがって保護部材と蓋体とを、類似したひねり操作により取り外すことができ、二重の保護構造を有していても使用時にまごつくことがない。取り外した蓋体は再び開口部に設置できるので、使用中の製品の保管や使用済容器の廃棄に便利である。
【００１７】
前記容器本体の前記蓋体の環状面は等角度間隔に複数のカム従動突起を備え、環状切欠部はカム従動突起と対応する位置にカム従動突起より少ない数のカム突起を備えることができる。複数のカム突起又はカム従動突起の作用により、蓋体と容器本体とをわずかにひねるだけでカムを作動させることができ、取外しがいっそう容易になる。また複数のカム突起を設けて同時に作用させることで蓋体の取外しがより確実になる。従動突起の数より少ない数の隣接したカム突起を設ければ、蓋体の筒状部の周上の一定の範囲に力を作用させ、蓋体を傾けて容易に取外すことができる。
【図面の簡単な説明】
【００１８】
【図１】本発明に係る容器本体の上面図
【図２】図１の容器本体の側面図
【図３】本発明に係る蓋体の側面図
【図４】図１の蓋体の断面図及び底面図
【図５】本発明の容器の蓋体の設置方法を示す部分断面図
【図６】本発明の容器の蓋体の設置された状態を示す部分断面図
【発明を実施するための最良の形態】
【００１９】
以下、図面を参照しながら、本発明の具体的な実施形態について説明する。図において１は保護部材を含む容器本体、２は容器本体１の開口部に内嵌される蓋体であり、それぞれ熱可塑性の合成樹脂により一体成型される。
【実施例１】
【００２０】
図１及び２は保護部材を備えた容器本体１の上面図及び側面図を示す。容器本体１は、有底円筒形の物品収容部１ａと、開口部の外周に外向きに設けられた環状のつば部１ｂとを備え、さらに該つば部１ｂの上面に６０°おきに設けられた６個のブリッジ１ｈを介して、厚みのある略円筒形の保護部材１ｃが立設されている。つば部１ｂの外径は保護部材１ｃの外径と同じかそれよりもやや大きい。ブリッジ１ｈは、軸方向の力に対しては耐えるが、容器本体と保護部材を互いに逆方向にひねる力によって比較的容易に破断する程度の強さを有する。ブリッジ１ｈの間には補強用の突起１ｍが設けられている。
【００２１】
保護部材１ｃの外周部には、開封時に指をかけやすいよう略円筒状に切り欠かれ細かい凹凸加工が施された４個のグリップ１ｆが設けられている。また軽量化及び材料節約のための水平溝１ｇが、平面視で各グリップ１ｆの位置を中心として９０°弱の範囲に、それぞれ４段ずつ設けられている。隣接する水平溝１ｇの間は柱状となるので、下方にブリッジ１ｈが存在しない場合は強度維持のため補強用突起を設けることが望ましい。
【００２２】
図３及び図４（ａ）（ｂ）は蓋体２の側面図、断面図及び底面図を示す。蓋体２は円形の上面部２ａと筒状部２ｂを備え、筒状部２ｂは前記保護部材１ｃの内径とほぼ同じかわずかに小さい径を有する上側の大径部と、それよりもやや小径の下側の小径部に分かれている。筒状部２ｂの大径部と小径部の境には環状面２ｇが形成されている。また小径部の下縁外周には容器口部の環状溝１ｄと係合する環状の拡径部２ｃが設けられている。
【００２３】
蓋体２の筒状部２ｂの大径部の外周には、蓋を開けるときに消費者が握りやすいよう、幅の広い縦方向の突条２ｄが６０°おきに６本設けられている。また幅の広い突条２ｆの間には、さらに幅の狭い突条２ｇが等間隔に３本ずつ設けられている。２ｃは容器本体にスナップ式に結合するための環状の拡径部であり、２ｅは製品の充填時に梱包材を押えるための筒状部である。
【００２４】
図５及び図６は蓋体の設置前及び設置後の容器本体１と蓋体２の各部の位置関係を示す。容器本体１の物品収容部１ａの上部及び保護部材１ｃの内周は、蓋体２の筒状部２ｂの外周とほぼ相補形状をなしており、物品収容部１ａの上部内周には蓋体２の拡径部２ｃと結合する環状溝１ｄが設けられている。蓋体の設置後には図６に示されるように蓋体２の環状面２ｈは容器本体のつば部１ｂの上面に相当する高さにあるが、容器本体の内周面上でさらに下側へ後述のカム機構を収容するための環状切欠部１ｋが設けられている。
【００２５】
本実施例では、容器本体１の環状切欠部１ｋの内部にカム突起１ｅが設けられ、蓋体２の環状面２ｈから小径部２ｂ２にかけてカム従動突起２ｄが設けられている。蓋体２を容器本体１に対して回動させ、カム突起１ｅとカム従動突起２ｄの位置を合わせると、カム従動突起２ｄがカム突起１ｅの上面に乗り上げて蓋体を上方に付勢し、環状溝１ｄと環状拡径部２ｃの係合が外れるので、蓋体２を容器本体１から容易に取り外すことができる。
【００２６】
カム突起１ｅ又はカム従動突起２ｄを複数を設けることにより、蓋体２の取外しに必要な回動角度を調節することができる。本実施例では、６本の幅の広い突条２ｄの下部にそれぞれカム従動突起２ｄを設けているので、蓋体２を最大６０°ひねることで蓋体を取外すことができる。容器本体１側のカム突起１ｅは１個でもよく、また２個以上を設けて蓋体２の複数のカム従動突起２ｄに同時に作用させることもできる。本実施例では、６個のカム従動突起２ｄのうちの隣接する４個（０°、６０°、１２０°、１８０°の位置）に対応して４個のカム突起１ｅを設け、これらを同時に作用させることで広い範囲に離脱力を加え、蓋体の全体を傾けて容易に取り外せるようにしている。カム突起１ｅは成型性等を考慮してブリッジ１ｈと互い違いになるよう配置されている。
【００２７】
もし容器本体１と蓋体２の間にカム機構を設けない場合は、蓋体２の筒状部２ｂの側面を押して傾けることにより筒状部２ｂを変形させ、環状溝１ｄと環状拡径部２ｃの係合を外して取り外すことも可能である。
【００２８】
この容器を用いて製品（例えば医薬のアンプル）を包装する場合、製造者は保護部材１ｃが設けられた容器本体１を開口部が上になるように配置し、完成したアンプルを必要な梱包材と共に開口部から充填する。充填終了後、開口部に蓋体２の筒状部２ｂを挿入すると、筒状部２ｂと保護部材１ｃが遊嵌されて自然に筒状部２ｂが正しい位置に導入され、小径部の下端が容器本体の環状切欠部１ｋの下面に載った形となる。その後蓋体２の上面部２ａに圧力を加えると、環状溝１ｄと環状拡径部２ｃを係合し蓋体の設置が完了する。
【００２９】
前述のように蓋体２を取り外すには筒状部２ｂの側面に力を加え容器本体に対して回動させるか傾ける必要があるが、蓋体２の上面部２ａは保護部材１ｃの上面と同じ又はより低い高さにあり、従って筒状部２ｂの側面は全体が保護部材１ｃにカバーされているので、保護部材１ｃを取り外さない限り蓋体２を取り外すことができない。また保護部材１ｃの外周はつば部１ｂによりカバーされており、内周は蓋体２と嵌合して互いに補強する関係にあるので、輸送中の衝撃等で外れるおそれも少ない。
【００３０】
消費者は、保護部材１ｃを容器本体１ａに対してひねると、ブリッジ１ｈがせん断力により断裂し、保護部材１ｃが蓋体２の筒状部２ｂ上に遊嵌した状態となり取外し可能となる。そして保護部材１ｃを取去ったのち蓋体２の筒状部２ｂを物品収容部ひねると、カム機構が作動して環状溝１ｄと環状拡径部２ｃの係合を解き、蓋体が容器本体から外れる。消費者は保護部材１ｃと蓋体２との両方を簡単なひねり操作により取り外しでき、ねじを外すために何回も回したりつまみ部を引き起こしたりする必要がないので、使用時にまごつくことが防がれる。
【００３１】
開栓後に製品を全部使用しない場合は蓋体を再設置できるが、仮に第三者が不正開封して再び蓋を閉じたとしても、消費者は保護部材１ｃが取去られまたはブリッジ１ｈが破断していることにより不正開封に気づくことができる。
【００３２】
上記の実施例は実施形態の一例であり、権利範囲を限定するものではない。容器の形状はさまざまなものが可能であり、また各部の成型や操作を容易にするため、保護部材１ｂ及び筒状部２ｂの詳細な形状、ブリッジ、補強部材、カム部材等の形状、数及び配置等は適宜変更することができる。
【産業上の利用可能性】
【００３３】
本発明の不正開封保護構造を備えた容器は、充填後の熱処理に適さない製品の包装にも対応でき、製作コストが安く、蓋の設置及び開封も容易であるなど前例のないものであり、大きな需要が見込まれる。
【符号の説明】
【００３４】
１  容器本体
１ａ  製品収容部
１ｂ  つば部
１ｃ  保護部材
１ｄ  環状溝
１ｅ  カム部材
１ｆ  グリップ
１ｇ  水平溝
１ｈ  ブリッジ
１ｋ  環状切欠部
１ｍ  補強用突起
２  蓋体
２ａ  上面部
２ｂ  筒状部
２ｂ１  大径部
２ｂ２  小径部
２ｃ  環状拡径部
２ｄ  カム従動突起
２ｆ  幅の広い突条部
２ｇ  幅の狭い突条部
２ｈ  環状面
【図１】
2014001005.tif 000003
【図２】
2014001005.tif 000004
【図３】
2014001005.tif 000005
【図４】
2014001005.tif 000006
【図５】
2014001005.tif 000007
【図６】
2014001005.tif 000008